(57)【特許請求の範囲】
【請求項１】
生分解性材料から成る外管と、
生分解性材料から成り、前記外管の内径より小径の外径を有して前記外管の内部に設けられた内管と、
前記外管と前記内管との間隙または前記内管の内部に収容された種子と、
前記外管と前記内管との間隙または前記内管の内部の前記種子と異なる方に収容された植物成長用土壌混入物とを有し、
前記外管および前記内管のうち少なくとも１つは内部に送水可能であることを、
特徴とする植生管。
【請求項２】
生分解性材料から成る外管と、
生分解性材料から成り、前記外管の内径より小径の外径を有して前記外管の内部に設けられた第１内管と、
生分解性材料から成り、前記第１内管の内径より小径の外径を有して前記第１内管の内部に設けられた第２内管と、
前記外管と前記第１内管との間隙、前記第１内管と前記第２内管との間隙または前記第２内管の内部に収容された種子と、
前記外管と前記第１内管との間隙、前記第１内管と前記第２内管との間隙または前記第２内管の内部のうち前記種子と異なる間隙または内部に収容された肥料と、
前記外管と前記第１内管との間隙、前記第１内管と前記第２内管との間隙または前記第２内管の内部のうち前記種子および前記肥料と異なる間隙または内部に収容された植物成長用薬剤とを有し、
前記外管、前記第１内管および前記第２内管のうち少なくとも１つは内部に送水可能であることを、
特徴とする植生管。
【請求項３】
生分解性材料から成る外管と、
生分解性材料から成り、前記外管の内径より小径の外径を有して前記外管の内部に設けられた複数の内管と、
前記外管と各内管との間隙または前記複数の内管のうちの１つの内部に収容された種子と、
前記外管と各内管との間隙または前記内管の内部のうち前記種子と異なる間隙または内部にそれぞれ収容されたそれぞれ種類の異なる植物成長用土壌混入物とを有し、
前記外管および前記内管のうち少なくとも１つは内部に送水可能であることを、
特徴とする植生管。
【請求項４】
前記生分解性材料は水溶性であることを特徴とする請求項１，２または３記載の植生管。
【請求項５】
前記外管および前記内管のうち送水可能な前記管の内部に吸湿剤を有することを、特徴とする請求項１，２，３または４記載の植生管。
【請求項６】
前記外管および前記内管のうち送水可能な前記管の内部に吸水膨張剤を有することを、特徴とする請求項１，２，３，４または５記載の植生管。
【請求項７】
前記外管および前記内管のうち送水可能な前記管は前記吸水膨張剤が吸水して膨張するとき破裂させるための破裂用切込みを有することを、特徴とする請求項６記載の植生管。
【請求項８】
前記外管および前記内管のうち送水可能な前記管は厚肉部と薄肉部とを有することを、特徴とする請求項６記載の植生管。
【発明の詳細な説明】
【技術分野】
【０００１】
本発明は、種子の植え付けをおこなうための植生管に関する。
【背景技術】
【０００２】
従来の植生管として、生分解性樹脂から成る２層以上の構造の複層管の内部に、肥料成分を含む発泡材または保水ゲルを充填し、多数の孔を設けて成るものがある（例えば、特許文献１参照）。従来の植生管は、樹木の間に埋設し肥料を与えるために用いられる。
【０００３】
【特許文献１】特開２００２−３４８８７７号公報
【発明の開示】
【発明が解決しようとする課題】
【０００４】
しかしながら、従来の植生管は、施肥の時期に合わせて埋設作業を行う必要があるため、作業の時期が施肥を必要とする時期に集中し、多忙期と閑散期とに分かれ、作業効率が悪いという課題があった。また、種まき作業と施肥作業とを別々に行っているため、双方に相応の作業時間を要し、作業時間の短縮を図ることができないという課題もあった。
【０００５】
本発明は、このような従来の課題に着目してなされたもので、作業効率の向上および作業時間の短縮を図ることができる植生管を提供することを目的としている。
【課題を解決するための手段】
【０００６】
上記目的を達成するために、第１の本発明に係る植生管は、生分解性材料から成る外管と、生分解性材料から成り、前記外管の内径より小径の外径を有して前記外管の内部に設けられた内管と、前記外管と前記内管との間隙または前記内管の内部に収容された種子と、前記外管と前記内管との間隙または前記内管の内部の前記種子と異なる方に収容された植物成長用土壌混入物とを有し、前記外管および前記内管のうち少なくとも１つは内部に送水可能であることを、特徴とする。
【０００７】
第２の本発明に係る植生管は、生分解性材料から成る外管と、生分解性材料から成り、前記外管の内径より小径の外径を有して前記外管の内部に設けられた第１内管と、生分解性材料から成り、前記第１内管の内径より小径の外径を有して前記第１内管の内部に設けられた第２内管と、前記外管と前記第１内管との間隙、前記第１内管と前記第２内管との間隙または前記第２内管の内部に収容された種子と、前記外管と前記第１内管との間隙、前記第１内管と前記第２内管との間隙または前記第２内管の内部のうち前記種子と異なる間隙または内部に収容された肥料と、前記外管と前記第１内管との間隙、前記第１内管と前記第２内管との間隙または前記第２内管の内部のうち前記種子および前記肥料と異なる間隙または内部に収容された植物成長用薬剤とを有し、前記外管、前記第１内管および前記第２内管のうち少なくとも１つは内部に送水可能であることを、特徴とする。
【０００８】
第３の本発明に係る植生管は、生分解性材料から成る外管と、生分解性材料から成り、前記外管の内径より小径の外径を有して前記外管の内部に設けられた複数の内管と、前記外管と各内管との間隙または前記複数の内管のうちの１つの内部に収容された種子と、前記外管と各内管との間隙または前記内管の内部のうち前記種子と異なる間隙または内部にそれぞれ収容されたそれぞれ種類の異なる植物成長用土壌混入物とを有し、前記外管および前記内管のうち少なくとも１つは内部に送水可能であることを、特徴とする。
【０００９】
生分解性材料としては、例えば、デンプンを材料とする生分解プラスチックを用いることができる。植物成長用土壌混入物とは、化学肥料・天然肥料・複合肥料などの肥料類および、除草剤・防虫剤・防除剤・植物育成剤・植物ホルモン剤・土壌改良材・発芽抑制剤などの植物成長用薬剤類を意味する。生分解性材料は水溶性であることが好ましい。この場合、外管および内管は、それぞれ水への溶解速度が異なっていてもよい。これにより、植物成長用土壌混入物と種子とを、それぞれ必要な時期に合わせて外部に供給、発芽させることができる。種子は、外管と内管との間隙または内管の内部に所定の間隔をおいて複数収容されていることが好ましい。また、外管および内管は、それぞれ生分解速度が異なっていてもよい。この場合、外管および内管に生分解により肥料となる材料を用いて、肥料効果の持続性を高めることができる。
【００１０】
第１、第２または第３の本発明に係る植生管は、土壌等に埋めて使用される。第１、第２または第３の本発明に係る植生管は、外管または内管の内部に送水することにより、それぞれの管の生分解を促進することができる。このため、任意の時期に外管および内管を溶かして、内部の植物成長用土壌混入物を外部の土壌等に供給するとともに種子を発芽、成長させることができる。外管および内管は生分解性材料から成るため、分解した後には、自然界の土壌や水中の微生物により分解され、廃棄物処理の労力およびコストを必要としない。
【００１１】
第１、第２または第３の本発明に係る植生管は、田畑を移動しながら作業を行わなくても、埋設作業後、一箇所で各管に送水を行うことにより、埋設した広い範囲で同時期に容易に種子の発芽や植物成長用土壌混入物の供給等を行うことができる。第１、第２または第３の本発明に係る植生管は、種子と植物成長用土壌混入物とを含むため、埋設作業により種まき作業と施肥等の作業とを同時に行うことができ、作業時間の短縮を図ることができる。また、送水により発芽と土壌への供給作業とを開始することができるので、一定時期に集中して埋設作業を行う必要がなく、作業時期を分散させて作業効率の向上を図ることができる。
【００１２】
第１、第２または第３の本発明に係る植生管は、前記外管および前記内管のうち送水可能な前記管の内部に吸湿剤を有することが好ましい。この場合、外管または内管の内部に送水したとき、内部の吸湿剤が水を吸収するため、外管または内管の生分解を効果的に促進することができる。
【００１３】
また、第１、第２または第３の本発明に係る植生管は、前記外管および前記内管のうち送水可能な前記管の内部に吸水膨張剤を有していてもよい。この場合、外管または内管の内部に送水したとき、吸水膨張剤が水を吸収して膨張し、外管または内管に圧力を加える。このため、外管または内管を破裂させて、内部の種子の発芽、成長を容易にするとともに、植物成長用土壌混入物を周囲の土壌等に供給しやすくすることができる。
【００１４】
さらに、前記外管および前記内管のうち送水可能な前記管は前記吸水膨張剤が吸水して膨張するとき破裂させるための破裂用切込みを有していてもよい。この場合、外管または内管の内部に送水し、吸水膨張剤が水を吸収して膨張したとき、管を破裂しやすくすることができる。このとき、破裂に好ましい位置に破裂用切込みを管を設けることにより、その位置で破裂させることができる。
【００１５】
前記外管および前記内管のうち送水可能な前記管は厚肉部と薄肉部とを有していてもよい。この場合、外管または内管の内部に送水し、吸水膨張剤が水を吸収して膨張したとき、管を薄肉部で破裂しやすくすることができる。これにより、破裂に好ましい位置を薄肉部とし、破裂が好ましくない位置を厚肉部として、破裂の位置を設定することができる。
【００１６】
第４の本発明に係る植生管は、生分解性材料から成り、内部に吸水膨張剤を有する外管と、生分解性材料から成り、前記外管の内径より小径の外径を有して前記外管の内部に設けられ、内部に吸水膨張剤を有する内管と、前記外管と前記内管との間隙または前記内管の内部に収容された種子と、前記外管と前記内管との間隙または前記内管の内部の前記種子と異なる方に収容された植物成長用土壌混入物とを有し、前記外管および前記内管の少なくとも一方は内部に送水可能であることを、特徴とする。
【００１７】
第５の本発明に係る植生管は、生分解性材料から成り、内部に吸水膨張剤を有する外管と、生分解性材料から成り、前記外管の内径より小径の外径を有して前記外管の内部に設けられ、内部に吸水膨張剤を有する第１内管と、生分解性材料から成り、前記第１内管の内径より小径の外径を有して前記第１内管の内部に設けられ、内部に吸水膨張剤を有する第２内管と、前記外管と前記第１内管との間隙、前記第１内管と前記第２内管との間隙または前記第２内管の内部に収容された種子と、前記外管と前記第１内管との間隙、前記第１内管と前記第２内管との間隙または前記第２内管の内部のうち前記種子と異なる間隙または内部に収容された肥料と、前記外管と前記第１内管との間隙、前記第１内管と前記第２内管との間隙または前記第２内管の内部のうち前記種子および前記肥料と異なる間隙または内部に収容された植物成長用薬剤とを有し、前記外管、前記第１内管および前記第２内管のうち少なくとも１つは内部に送水可能であることを、特徴とする。
【００１８】
第６の本発明に係る植生管は、生分解性材料から成り、内部に吸水膨張剤を有する外管と、生分解性材料から成り、前記外管の内径より小径の外径を有して前記外管の内部に設けられ、内部に吸水膨張剤を有する複数の内管と、前記外管と各内管との間隙または前記複数の内管のうちの１つの内部に収容された種子と、前記外管と各内管との間隙または前記内管の内部のうち前記種子と異なる間隙または内部にそれぞれ収容されたそれぞれ種類の異なる植物成長用土壌混入物とを有し、前記外管および前記内管のうち少なくとも１つは内部に送水可能であることを、特徴とする。
【００１９】
第４、第５または第６の本発明に係る植生管では、種子は、外管と内管との間隙または内管の内部に所定の間隔をおいて複数収容されていることが好ましい。また、外管および内管は、それぞれ生分解速度が異なっていてもよい。この場合、外管および内管に生分解により肥料となる材料を用いて、肥料効果の持続性を高めることができる。
【００２０】
第４、第５または第６の本発明に係る植生管は、土壌等に埋めて使用される。第４、第５または第６の本発明に係る植生管は、外管または内管の内部に送水することにより、吸水膨張剤が水を吸収して膨張し、外管または内管に圧力を加える。このため、外管または内管を破裂させることができる。このため、任意の時期に外管および内管を破裂させて、内部の植物成長用土壌混入物を外部の土壌等に供給するとともに種子を発芽、成長させることができる。外管および内管は生分解性材料から成るため、破裂した後には、自然界の土壌や水中の微生物により分解され、廃棄物処理の労力およびコストを必要としない。
【００２１】
第４、第５または第６の本発明に係る植生管は、田畑を移動しながら作業を行わなくても、埋設作業後、一箇所で各管に送水を行うことにより、埋設した広い範囲で同時期に容易に種子の発芽や植物成長用土壌混入物の供給等を行うことができる。第４、第５または第６の本発明に係る植生管は、種子と植物成長用土壌混入物とを含むため、埋設作業により種まき作業と施肥等の作業とを同時に行うことができ、作業時間の短縮を図ることができる。また、送水により発芽と土壌への供給作業とを開始することができるので、一定時期に集中して埋設作業を行う必要がなく、作業時期を分散させて作業効率の向上を図ることができる。
【００２２】
第４、第５または第６の本発明に係る植生管では、外管または内管は破裂部を有し、吸水膨張剤が吸水して膨張するとき、破裂部で管が破裂するよう構成されていることが好ましい。この場合、外管または内管を破裂させる位置や方向を任意に設定することができる。破裂部は、外管または内管の肉厚を一部薄くしたり、切れ込みを入れたりして形成される。なお、外管または内管は、肉厚を一部厚くして破裂しにくくし、他の部分で破裂するように形成されてもよい。
【００２３】
なお、第１乃至第６の本発明に係る植生管において、外管または内管の内部に、送水する代わりに、液肥などを供給してもよい。第１乃至第６の本発明に係る植生管は、外管と内管または内管同士が、長さ方向に沿って互いにくっついていてもよい。この場合、接着剤で接着しても、互いに嵌合するよう管を成形してくっつけてもよい。また、第１乃至第６の本発明に係る植生管では、外管は、上下が判別できるよう、長さ方向に沿って外面に凸部や凹部などの目印が設けられていてもよい。この場合、上下方向を任意に設定して、埋設することができる。
【発明の効果】
【００２４】
本発明によれば、作業効率の向上および作業時間の短縮を図ることができる植生管を提供することができる。
【発明を実施するための最良の形態】
【００２５】
以下、図面に基づき、本発明の実施の形態について説明する。
図１は、本発明の第１の実施の形態を示している。
図１に示すように、植生管１０は、外管１１と第１内管１２と第２内管１３と第３内管１４と第４内管１５と種子１６と肥料１７と殺菌剤１８とを有している。
【００２６】
外管１１および各内管１２，１３，１４，１５は、デンプンを材料とする水溶性の生分解プラスチックから成る。その生分解プラスチックは、土壌中に埋めたときには、土壌中の水分によりゆっくり時間をかけて溶け、自然界の土壌や水中の微生物により分解される性質を有している。
【００２７】
外管１１および各内管１２，１３，１４，１５は、内部に送水可能であり、内面に吸湿剤（図示せず）を有している。外管１１および各内管１２，１３，１４，１５は、内部に送水したとき、内面の吸湿剤が水を吸収して直ちに溶解するようになっている。
【００２８】
外管１１は、横断面がほぼ円形である。第１内管１２は、横断面がほぼ円形で、外管１１の内径よりやや小径の外径を有している。第１内管１２は、外管１１の長さ方向に沿って伸びて外管１１の内部に設けられ、外管１１との間に間隙を有している。
【００２９】
第２内管１３は、横断面が楕円形で、第１内管１２の内径より小径の外径を有している。第２内管１３は、第１内管１２の長さ方向に沿って伸びて第１内管１２の内部に設けられ、第１内管１２との間に間隙を有している。
【００３０】
第３内管１４および第４内管１５は、横断面が楕円形であって、第２内管１３の内径より小径の外径を有している。第３内管１４および第４内管１５は、第１内管１２および第２内管１３の長さ方向に沿って伸びて第１内管１２と第２内管１３との間隙に設けられている。
【００３１】
種子１６は、第１内管１２と第２内管１３との間隙に、所定の間隔をおいて複数収容されている。種子１６は、例えば、イネなどの穀物類・キャベツやほうれん草などの野菜類・芋類・豆類などの作物の種子や、園芸用の花の種子である。
【００３２】
肥料１７は、外管１１と第１内管１２との間隙に元肥１７ａが収容され、第３内管１４および第４内管１５の内部に追肥１７ｂが収容されている。元肥１７ａは遅効性の有機肥料から成り、追肥１７ｂは即効性の化成肥料から成る。なお、元肥１７ａには遅効性または緩効性の肥料、追肥１７ｂには即効性の肥料を使用するのが好ましい。元肥１７ａおよび追肥１７ｂは、有機肥料や化成肥料など、いかなる肥料を使用しても良い。
【００３３】
殺菌剤１８は、いもち病やうどんこ病などの病害に効果的な、土壌混和用のものから成る。殺菌剤１８は、第２内管１３の内部に収容されている。
【００３４】
次に、作用について説明する。
植生管１０は、田畑の土壌に埋めて使用される。植生管１０を埋めた後、種子１６の発芽時期の前に外管１１の内部に送水する。このとき、外管１１の内面の吸湿剤が水を吸収するため、水溶性の外管１１を効果的に直ちに溶かすことができる。これにより、外管１１と第１内管１２との間隙に収容されている元肥１７ａを外部の土壌に供給することができる。
【００３５】
次に、種子１６の発芽時期に合わせて第１内管１２の内部に送水する。このとき、第１内管１２の内面の吸湿剤が水を吸収するため、水溶性の第１内管１２を効果的に直ちに溶かすことができる。これにより、第１内管１２と第２内管１３との間隙に収容されている種子１６を外部の土壌に供給し、種子１６を発芽、成長させることができる。
【００３６】
種子１６の発芽や成長に合わせて追肥を行う場合には、第３内管１４の内部に送水する。このとき、第３内管１４の内面の吸湿剤が水を吸収するため、水溶性の第３内管１４を効果的に直ちに溶かすことができる。これにより、第３内管１４の内部に収容されている追肥１７ｂを外部の土壌に供給することができる。さらに追肥を行う場合には、第４内管１５の内部に送水する。このとき、第４内管１５の内面の吸湿剤が水を吸収するため、水溶性の第４内管１５を効果的に直ちに溶かすことができる。これにより、第４内管１５の内部に収容されている追肥１７ｂを外部の土壌に供給することができる。
【００３７】
また、作物に病害が発生した場合には、第２内管１３の内部に送水する。このとき、第２内管１３の内面の吸湿剤が水を吸収するため、水溶性の第２内管１３を効果的に直ちに溶かすことができる。これにより、第２内管１３の内部に収容されている殺菌剤１８を外部の土壌に供給することができる。
【００３８】
このように、植生管１０は、水溶性の外管１１または各内管１２，１３，１４，１５の内部に送水することにより、それぞれの管を直ちに溶かすことができる。このため、任意の時期に外管１１および各内管１２，１３，１４，１５を溶かして、内部の肥料１７および殺菌剤１８を外部の土壌等に供給するとともに種子１６を発芽、成長させることができる。外管１１および各内管１２，１３，１４，１５は生分解性材料から成るため、水に溶けた後には、自然界の土壌や水中の微生物により分解され、廃棄物処理の労力およびコストを必要としない。
【００３９】
また、植生管１０は、田畑を移動しながら作業を行わなくても、埋設作業後、一箇所で外管１１または各内管１２，１３，１４，１５に送水を行うことにより、埋設した広い範囲で同時期に容易に種子１６の発芽や肥料１７または殺菌剤１８の供給等を行うことができる。植生管１０は、種子１６、肥料１７および殺菌剤１８を含むため、埋設作業により種まき作業と施肥等の作業とを同時に行うことができ、作業時間の短縮を図ることができる。また、送水により発芽と土壌への供給作業とを開始することができるので、一定時期に集中して埋設作業を行う必要がなく、作業時期を分散させて作業効率の向上を図ることができる。
【００４０】
図２は、本発明の第２の実施の形態を示している。
図２に示すように、植生管２０は、外管２１と第１内管２２と第２内管２３と籾２４と肥料２５と除草剤２６と吸水膨張剤２７を有している。
【００４１】
外管２１および各内管２２，２３は、デンプンを材料とする水溶性の生分解プラスチックから成る。その生分解プラスチックは、土壌中に埋めたときには、土壌中の水分によりゆっくり時間をかけて溶け、自然界の土壌や水中の微生物により分解される性質を有している。
【００４２】
外管２１および各内管２２，２３は、内部に送水可能であり、内面に吸湿剤（図示せず）を有している。外管２１および各内管２２，２３は、内部に送水したとき、内面の吸湿剤が水を吸収して直ちに溶解するようになっている。
【００４３】
外管２１は、横断面がほぼ円形である。第１内管２２は、外管２１の内径よりやや小径の外径を有している。第１内管２２は、横断面がほぼ円形であるが、図２に示すように、部分的に内径が変化している。第１内管２２は、外管２１の長さ方向に沿って伸びて外管２１の内部に設けられ、外管２１との間に間隙を有している。
【００４４】
第２内管２３は、第１内管２２の内径より小径の外径を有している。第２内管２３は、横断面がほぼ円形であるが、図２に示すように、内径が変化している。第２内管２３は、第１内管２２の長さ方向に沿って伸びて第１内管２２の内部に設けられ、第１内管２２との間に間隙を有している。
【００４５】
籾２４は、第１内管２２と第２内管２３との間隙に、所定の間隔をおいて複数収容されている。なお、図２に示すように、籾２４のまわりには発芽促進用の薬品２８が施されている。
肥料２５は、第２内管２３の内部に収容されている。肥料２５は、即効性の化成肥料から成る。肥料２５は、有機肥料や化成肥料など、いかなる肥料を使用しても良い。
除草剤２６は、選択性の土壌処理剤から成る。除草剤２６は、外管２１と第１内管２２との間隙に、所定の間隔をおいて複数収容されている。
吸水膨張剤２７は、外管２１と第１内管２２との間隙に収容されている。なお、吸水膨張剤２７は、吸水剤と膨張剤とに分かれていてもよい。この場合、膨張剤をマイクロカプセルに収容しておき、全ての吸水剤に水が吸収されてから膨張剤が遅れて作用するようにすることが好ましい。これにより、植生管を畑で使用したとき、送水側近くで外管２１が破裂してその破裂箇所より先に水が行き渡らなくなるのを防ぐことができる。
【００４６】
次に、作用について説明する。
植生管２０は、田の土壌に埋めて使用される。植生管２０を埋めた後、籾２４の発芽時期の前に外管２１の内部に送水する。このとき、外管２１と第１内管２２との間隙に収容されている吸水膨張剤２７が、水を吸収して膨張し、外管２１に圧力を加え、外管２１を破裂させる。これにより、外管２１と第１内管２２との間隙に収容されている除草剤２６を外部の土壌に供給し、発芽前に除草を行うことができる。
【００４７】
次に、籾２４の発芽時期に合わせて第１内管２２の内部に送水する。このとき、第１内管２２の内面の吸湿剤が水を吸収するため、水溶性の第１内管２２を効果的に直ちに溶かすことができる。これにより、第１内管２２と第２内管２３との間隙に収容されている籾２４を外部の土壌に供給し、イネの苗を発芽、成長させることができる。このため、従来苗代で苗を発芽させ、田植えを行っていた場合に比べ、手間を省くことができる。
【００４８】
苗の発芽や成長に合わせて施肥を行う場合には、第２内管２３の内部に送水する。このとき、第２内管２３の内面の吸湿剤が水を吸収するため、水溶性の第２内管２３を効果的に直ちに溶かすことができる。これにより、第２内管２３の内部に収容されている肥料２５を外部の土壌に供給することができる。
【００４９】
このように、植生管２０は、水溶性の外管２１または各内管２２，２３の内部に送水することにより、それぞれの管を直ちに溶かすことができる。このため、任意の時期に外管２１および各内管２２，２３を溶かして、内部の肥料２５および除草剤２６を外部の土壌等に供給するとともにイネの苗を発芽、成長させることができる。外管２１および各内管２２，２３は生分解性材料から成るため、水に溶けた後には、自然界の土壌や水中の微生物により分解され、廃棄物処理の労力およびコストを必要としない。
【００５０】
また、植生管２０は、田を移動しながら作業を行わなくても、埋設作業後、一箇所で外管２１または各内管２２，２３に送水を行うことにより、埋設した広い範囲で同時期に容易に苗の発芽や肥料２５または除草剤２６の供給等を行うことができる。植生管２０は、籾２４、肥料２５および除草剤２６を含むため、埋設作業により田植え作業と施肥等の作業とを同時に行うことができ、作業時間の短縮を図ることができる。また、送水により発芽と土壌への供給作業とを開始することができるので、一定時期に集中して埋設作業を行う必要がなく、作業時期を分散させて作業効率の向上を図ることができる。
【００５１】
図３は、本発明の第３の実施の形態を示している。
図３に示すように、植生管３０は、外管３１と内管３２と種子３３と肥料３４とを有している。
【００５２】
外管３１および内管３２は、生分解プラスチックから成る。その生分解プラスチックは、土壌中に埋めたときには、自然界の土壌や水中の微生物により分解される性質を有している。外管３１および内管３２は、内部に送水可能であり、吸水膨張剤（図示せず）を有している。
【００５３】
外管３１は、外面３１ａおよび内面３１ｂの横断面がほぼ円形であり、外面３１ａおよび内面３１ｂの中心軸が所定の方向にずれて、肉厚が変化している。外管３１は、肉厚の薄い部分の内面３１ｂに、長さ方向に沿って切り込みを入れて破裂部３１ｃを形成している。外管３１は、肉厚の厚い部分３１ｄの外面３１ａに、長さ方向に沿って凸部３１ｅが設けられている。外管３１は、吸水膨張剤が吸水して膨張するとき、肉厚の厚い部分３１ｄでは破裂しにくく、破裂部３１ｃで破裂するよう構成されている。
【００５４】
内管３２は、外面３２ａおよび内面３２ｂの横断面がほぼ円形であり、外面３２ａおよび内面３２ｂの中心軸が一致している。内管３２は、外管３１の内径よりやや小径の外径を有している。内管３２は、内面３２ｂに長さ方向に沿って切り込みを入れて破裂部３２ｃを形成している。内管３２は、吸水膨張剤が吸水して膨張するとき、破裂部３２ｃで破裂するよう構成されている。内管３２は、外管３１の長さ方向に沿って伸びて外管３１の内部に設けられ、外管３１との間に間隙を有している。
【００５５】
種子３３は、外管３１と内管３２との間隙に、所定の間隔をおいて複数収容されている。種子１６は、例えば、イネなどの穀物類・キャベツやほうれん草などの野菜類・芋類・豆類などの作物の種子や、園芸用の花の種子である。
肥料３４は、内管３２の内部に収容されている。肥料３４は即効性の化成肥料から成る。
【００５６】
次に、作用について説明する。
植生管３０は、田畑の土壌に埋めて使用される。植生管３０は、凸部３１ｅを目印にして、上下方向を任意に設定して、埋設することができる。植生管３０を埋めた後、種子３３の発芽時期に合わせて外管３１の内部に送水する。このとき、外管３１の内面の吸水膨張剤が水を吸収して膨張し、外管３１に圧力を加える。このため、外管３１を直ちに破裂させることができる。これにより、外管３１と内管３２との間隙に収容されている種子３３を外部の土壌に供給し、種子３３を発芽、成長させることができる。
【００５７】
種子３３の発芽や成長に合わせて追肥を行う場合には、内管３２の内部に送水する。このとき、内管３２の内面の吸水膨張剤が水を吸収して膨張し、内管３２に圧力を加える。このため、内管３２を直ちに破裂させることができる。これにより、内管３２の内部に収容されている肥料３４を外部の土壌に供給することができる。
【００５８】
このように、植生管３０は、外管３１または内管３２の内部に送水することにより、それぞれの管を直ちに破裂させることができる。このため、任意の時期に外管３１および内管３２を破裂させて、内部の肥料３４を外部の土壌等に供給するとともに種子３３を発芽、成長させることができる。外管３１および内管３２は生分解性材料から成るため、破裂した後には、自然界の土壌や水中の微生物により分解され、廃棄物処理の労力およびコストを必要としない。
【００５９】
また、植生管３０は、田畑を移動しながら作業を行わなくても、埋設作業後、一箇所で外管３１または内管３２に送水を行うことにより、埋設した広い範囲で同時期に容易に種子３３の発芽や肥料３４の供給等を行うことができる。植生管３０は、種子３３と肥料３４とを含むため、埋設作業により種まき作業と施肥等の作業とを同時に行うことができ、作業時間の短縮を図ることができる。また、送水により発芽と土壌への供給作業とを開始することができるので、一定時期に集中して埋設作業を行う必要がなく、作業時期を分散させて作業効率の向上を図ることができる。
【図面の簡単な説明】
【００６０】
【図１】本発明の第１の実施の形態の植生管を示す（Ａ）横断面図、および（Ｂ）外管および第１内管を切り欠いた側面図である。
【図２】本発明の第２の実施の形態の植生管を示す縦断面図である。
【図３】本発明の第３の実施の形態の植生管を示す横断面図である。
【符号の説明】
【００６１】
１０  植生管
１１  外管
１２  第１内管
１３  第２内管
１４  第３内管
１５  第４内管
１６  種子
１７  肥料
１７ａ  元肥
１７ｂ  追肥
１８  殺菌剤
【要約】
【課題】作業効率の向上および作業時間の短縮を図ることができる植生管を提供する。
【解決手段】外管１１は、生分解性材料から成る。複数の内管１２，１３，１４，１５は、生分解性材料から成り、外管１１の内径より小径の外径を有して外管１１の内部に設けられている。外管１１と各内管１２，１３，１４，１５との間隙に、種子１６が収容されている。外管１１と内管１２との間隙および各内管１３，１４，１５の内部に、それぞれ種類の異なる植物成長用土壌混入物１７，１８が収容されている。外管１１および各内管１２，１３，１４，１５のうち少なくとも１つは内部に送水可能である。外管１１または各内管１２，１３，１４，１５の内部に吸湿剤を有している。
【選択図】図１
【図１】
0003561269.tif 000002
【図２】
0003561269.tif 000003
【図３】
0003561269.tif 000004